(57)【要約】【課題】洗濯物を干すとき、数多く干せて、場所をとらないで、目隠しをしなくてもプライバシーが守れる物干しハンガーを提供する。【解決手段】洗濯物を干すとき、数多く干せて、場所をとらないで、目隠しをしなくてもプライバシーが守れる物干しハンガーであって、当該網型物干しハンガーは、樹脂製の網型物干しハンガー本体を設ける。網型物干しハンガー本体は、プラスチックで長方形をして、碁盤の目の状態の網目を形成して設ける。碁盤の目の状態の網目に洗濯バサミを吊り下げて設ける。網型物干しハンガー本体の長方形の両端の短辺を保護する保護棒を固着して設ける。両側の保護棒は竿などに掛ける吊紐を設ける。吊紐の代わりに竿に掛ける物干しフックを保護棒の中心に設けてもよい。網型物干しハンガーを収納するときは、網型物干しハンガーの片側の保護棒から巻取る構成である【選択図】図１
2012075846.tif 000002
【特許請求の範囲】
【請求項１】
洗濯物を干すとき、数多く干せて、場所をとらないで、目隠しをしなくてもプライバシーが守れる網型物干しハンガーであって、当該網型物干しハンガー（１００）は、樹脂製の網型物干しハンガー本体（５０）を設けて、網型物干しハンガー本体（５０）は、プラスチックで長方形をして、碁盤の目の状態の網目（５１）を形成して設けて、碁盤の目の状態の網目（５１）に洗濯バサミ（５２）を吊り下げて設けて、
網型物干しハンガー本体（５０）の長方形の両端の短辺（５３）を保護する保護棒（５５）を固着して設けて、両側の保護棒（５５）は竿（９０）などに掛ける吊紐（５４）を設けて、
網型物干しハンガー（１００）を収納するときは、網型物干しハンガー（１００）の片側の保護棒（５５）から巻取る構成であることを特徴とする網型物干しハンガー。
【発明の詳細な説明】
【技術分野】
【０００１】  本発明は、一般家庭の洗濯物を多く干せて、場所をとらないで、目隠しをしなくてもプライバシーが守れる網型物干しハンガーに関する。
【背景技術】
【０００２】  従来は、干した洗濯物が人目に触れてしまい、個人のプライバシーを守れなかった。また、色々な種類の洗濯物を密集して干すので見た目に良くないという課題があった。解決手段として、洗濯物干しハンガーの周りにカーテンレール（１）を一体化形成する。カーテンレールに複数個のランナー（２）を入れて、カーテンをかけられる。（例えば、特許文献１参照）。【０００３】  天候の変化で洗濯物が濡れたり、花粉が付いたり、排気ガスで汚れたり、下着など、人の目を気にして干していたという課題があった。解決手段として、撥水性の材料を使い雨水、花粉、排気ガスを防ぎ、長方形洗濯物干し上部フック部分を、綿ファスナーを使い開閉する事で、通気性を調整でき、長方形洗濯物干しの大きさに対応できるように四角錘形の部分よりカバーを大き目にしてある。又前面を開けた事により、洗濯物が干し易く、通気性も調節できる。（例えば、特許文献２参照）。【０００４】  物干しハンガー１０に洗濯物１５を吊り下げ干しするにおいて、その洗濯物１５が雨に濡れたり花粉・埃が付着するのを防止すると共に、洗濯物１５による美観低下防止と洗濯物１５の盗難防止という課題があった。解決手段として、物干しハンガー１０に着脱自在に着用セットするオーバーコート形態にして、物干しハンガー１０のフック部１３を中央上部から突き出して物干しハンガー１０の上部を覆う布傘部２と、この布傘部２の下縁に一体に連設して吊り下げた「小網目布からなるスカート部３」からなり、この布傘部２とスカート部３は縦方向の合わせ縁４を接合したり開放することによって開閉自在にして、物干しハンガー１０に着用セットして合わせ縁４を閉じ、スカート部３がなす中空部に洗濯物を収納保護して、そのまま干すことができる物干しハンガー用カバーコート１が特徴である。（例えば、特許文献３参照）。
【先行技術文献】
【特許文献】
【０００５】
【特許文献１】  特開２００７−４４５５３号
【特許文献２】  特開２００３−３０５２９７号
【特許文献３】  特開２０００−５１５８１号
【発明の概要】
【発明が解決しようとする課題】
【０００６】  以上に述べた先行技術文献は、特許文献１では、干した洗濯物が人目に触れてしまい、個人のプライバシーを守れなかった。また、色々な種類の洗濯物を密集して干すので見た目に良くなかった。特許文献２では、天候の変化で洗濯物が濡れたり、花粉が付いたり、排気ガスで汚れたり、下着など、人の目を気にして干した洗濯物を解決したい。特許文献３では、その洗濯物１５が雨に濡れたり花粉・埃が付着するのを防止すると共に、洗濯物１５による美観低下防止と洗濯物１５の盗難防止を図る。それは、雨に濡れること、花粉が付着することは困るが、一番の共通項は、干した洗濯物が人目に触れてしまい、個人のプライバシーを守れないことにある。【０００７】  本発明は、洗濯物を干すとき、数多く干せて、場所をとらないで、目隠しをしなくてもプライバシーが守れる網型物干しハンガーを実現することを目的とする。
【課題を解決するための手段】
【０００８】  本発明は、洗濯物を干すとき、数多く干せて、場所をとらないで、目隠しをしなくてもプライバシーが守れる網型物干しハンガーであって、当該網型物干しハンガー１００は、樹脂製の網型物干しハンガー本体５０を設ける。網型物干しハンガー本体５０は、プラスチックで長方形をして、碁盤の目の状態の網目５１を形成して設ける。碁盤の目の状態の網目５１に洗濯バサミ５２を吊り下げて設ける。
網型物干しハンガー本体５０の長方形の両端の短辺５３を保護する保護棒５５を固着して設ける。両側の保護棒５５は竿９０などに掛ける吊紐５４を設ける。
網型物干しハンガー１００を収納するときは、網型物干しハンガー１００の片側の保護棒５５から巻取る構成である。
【発明の効果】
【０００９】  本発明は、洗濯物を干すとき、数多く干せて、場所をとらないで、目隠しをしなくてもプライバシーが守れる網型物干しハンガーであって、当該網型物干しハンガーは、樹脂製の網型物干しハンガー本体を設ける。網型物干しハンガー本体は、プラスチックで長方形をして、碁盤の目の状態の網目を形成して設ける。碁盤の目の状態の網目に洗濯バサミを吊り下げて設ける。網型物干しハンガー本体の長方形の両端の短辺を保護する保護棒を固着して設ける。両側の保護棒は竿などに掛ける吊紐を設ける。網型物干しハンガーを収納するときは、網型物干しハンガーの片側の保護棒から巻取る構成であるので、網型物干しハンガーを収納するとき巻取りは簡単で収納場所をとらない。網型物干しハンガーの網目に洗濯物を干すための洗濯バサミが数多く吊り下げてあるので洗濯物を数多く干すことができる。
洗濯物を平らに水平にして干したいときは、洗濯バサミと反対側の上方に干すことができる。長方形をした網型物干しハンガーの両側の保護棒に設けた吊紐を竿に掛ければよい。
場所をとらない網型物干しハンガーの干し方は、片側の保護棒に設けた吊紐を竿に掛けると場所はとらない。また人目に付かないように、するには、洗濯バサミに吊り下げた洗濯物を手前にして、吊り下げた洗濯物が無い方を外側に向けることで、外部から洗濯物は目に入らない（人目に付かない）。さらに、干した洗濯物を家族の者にも見せたくないときは、洗濯バサミを包み込むように、保護棒に設けた両側の吊紐を合わせるように竿に掛けると、長方形をした網型物干しハンガーはＵ字型になるので後ろからも前からも干した洗濯物が見えない。
洗濯をした洗濯物を容器に入れて、洗濯物を干すために物干し場所へ移動するが、当該網型物干しハンガーは容器の代わりとなる。それは、物干しへ運ぶとき当該網物干しハンガーの洗濯バサミの無い方に、洗濯物を入れ物干しの場所へ移動してから物干し作業をすればよい。当該網型物干しハンガーは、洗濯と干し方に革命を起こすほど便利な網型物干しハンガーである。
【図面の簡単な説明】
【００１０】
【図１】  本発明の実施形態を示す網型物干しハンガーの斜視図を示した図である。
【図２】  図１の網型物干しハンガーの底面図を示した図である。
【図３】  図１の網型物干しハンガーの側面図を示した図である。
【図４】  図１の網型物干しハンガーをＵ字型に吊るした側面図を示した図である。
【発明を実施するための形態】
【００１１】    以下、本発明の実施の形態を図１〜図４に基づいて説明する。
【実施例】
【００１２】  図１は、本発明の実施形態を示す網型物干しハンガーの斜視図を示した図である。
本発明は、洗濯物を干すとき、数多く干せて、場所をとらないで、目隠しをしなくてもプライバシーが守れる網型物干しハンガーであって、当該網型物干しハンガー１００は、樹脂製の網型物干しハンガー本体５０を設ける。網型物干しハンガー本体５０は、プラスチックで長方形をして、碁盤の目の状態の網目５１を形成して設ける。碁盤の目の状態の網目５１に洗濯バサミ５２を吊り下げて設ける。
網型物干しハンガー本体５０の長方形の両端の短辺５３を保護する保護棒５５を固着して設ける。両側の保護棒５５は竿９０などに掛ける吊紐５４を設ける。
吊紐５４の代わりに両側の保護棒５５の中心に物干しフック５６を設けて竿９０に掛けるようにしてもよい（図示せず）。
網型物干しハンガー１００を収納するときは、網型物干しハンガー１００の片側の保護棒５５から巻取る構成である。【００１３】  図２は、図１の網型物干しハンガーの底面図を示した図である。
当該網型物干しハンガー１００は、樹脂製の網型物干しハンガー本体５０を設ける。
網型物干しハンガー本体５０は、長方形をして、碁盤の目の状態の網目５１が形成されている。プラスチックからなる長方形の網型の碁盤の目の状態の網目５１の１つは１０Ｋｇでは破壊されない強度がり弾力性がある。
碁盤の目の状態の網目５１に洗濯物を干すための洗濯バサミ５２を吊り下げ固着して設ける。この例は、４０個の洗濯バサミ５２を吊り下げている。洗濯バサミ５２の数は、ずば抜けて多いことになる。網型物干しハンガー本体５０の長方形の両側を保護する短辺５３の保護棒５５を固着して設ける。保護棒５５は片方でも網型物干しハンガー１００は、洗濯物を含めて全ての加重が掛かるのでプラスチックを用いるが保護棒５５と、吊紐５４との強度は、材質の選定を誤らないようにする。吊紐５４は帆船に用いる細いロープで充分である。【００１４】  図３は、図１の網型物干しハンガーの側面図を示した図である。
図１の網型物干しハンガーの側面図を示した図である。
網型物干しハンガー本体５０は、プラスチックで長方形をして、碁盤の目の状態の網目５１を形成して設ける。碁盤の目の状態の網目５１に洗濯バサミ５２を吊り下げて設ける。
場所をとらない網型物干しハンガー１００の干し方は、片側の保護棒５５に設けた吊紐５４を竿９０に掛けると場所はとらない。また人目に付かないように、するには、洗濯バサミ５２に吊り下げた洗濯物を手前にして、吊り下げた洗濯物が無い方を外側に向けることで、外部から洗濯物は目に入らない（人目に付かない）。【００１５】  図４は、図１の網型物干しハンガーをＵ字型に吊るした側面図を示した図である。
網型物干しハンガー本体５０は、プラスチックで長方形をして、碁盤の目の状態の網目５１を形成して設ける。碁盤の目の状態の網目５１に洗濯バサミ５２を吊り下げて設ける。
干した洗濯物を家族の者にも見せたくないときは、洗濯バサミ５２を包み込むように、保護棒５５に設けた両側の吊紐５４を合わせるように竿９０に掛けると、長方形をした網型物干しハンガー１００はＵ字型になるので後ろからも前からも干した洗濯物が見えない。
【産業上の利用可能性】
【００１６】  繊維関連の企業で網型物干しハンガーは、製造・販売され、一般家庭で利用される。
【符号の説明】
【００１７】  ５０  網型物干しハンガー本体
５１  網目
５２  洗濯バサミ
５３  短辺
５４  吊紐
５５  保護棒
５６  物干しフック
９０  竿
１００  網型物干しハンガー
【図１】
2012075846.tif 000003
【図２】
2012075846.tif 000004
【図３】
2012075846.tif 000005
【図４】
2012075846.tif 000006